(57)【要約】【課題】  複数の処理対象データを同時に入力可能な場合に、利用者の入力にかかる手間の増大をおさえ、視認性の悪化を防止し、消費電力の低減を図ることができる電子辞書装置を提供する。【解決手段】  利用者のユーザ語彙レベルを取得するユーザ語彙レベル取得手段ＤＰ２と、複数の登録データと、登録データ毎に対応付けられたデータレベル及び利用者に提示するデータ情報が格納された辞書データベースＤ１〜Ｄｎと、辞書データベースＤ１〜Ｄｎを検索して処理対象データに対応する登録データを抽出し、抽出された登録データのデータレベルとユーザ語彙レベルを比較してデータ情報の出力・非出力を判定する判定手段ＤＰ３と、出力判定された登録データのデータ情報を所定の出力装置に出力するデータ情報出力手段ＤＰ４を備える。【選択図】        図４
2010072681.tif 000002
【特許請求の範囲】
【請求項１】
利用者のユーザ語彙レベルを取得するユーザ語彙レベル取得手段と、
１または複数の文字からなる複数の登録データと、前記登録データ毎に対応付けられたデータレベル及び利用者に提示するデータ情報が格納された辞書データベースと、
前記辞書データベースを検索して、１または複数の文字からなる処理対象データに対応する前記登録データを抽出し、前記処理対象データに対応する前記登録データが抽出された場合に、抽出された前記登録データの前記データレベルと前記ユーザ語彙レベルを比較し、所定の判定基準に基づいて、前記データ情報の出力・非出力を判定する判定手段と、
前記判定手段により出力判定された場合に、前記登録データの前記データ情報を所定の出力装置に出力するための第１出力データを出力するデータ情報出力手段と、を備えることを特徴とする電子辞書装置。
【請求項２】
複数の前記処理対象データを含む文章データを取得し、前記文章データから複数の前記処理対象データを抽出するデータ入力手段を備えることを特徴とする請求項１に記載の電子辞書装置。
【請求項３】
前記登録データの前記データレベルを再設定するデータレベル再設定手段を備えることを特徴とする請求項１または２に記載の電子辞書装置。
【請求項４】
前記データレベル再設定手段が、前記データ情報出力手段により前記データ情報が出力された前記登録データについて、前記判定手段が非出力判定するように、前記データレベルを再設定することを特徴とする請求項３に記載の電子辞書装置。
【請求項５】
前記データレベル再設定手段が、前記判定手段により前記データ情報の非出力判定された前記登録データについて、表示指示を受け付けた場合に、前記判定手段が出力判定するように、前記データレベルを再設定することを特徴とする請求項３または４に記載の電子辞書装置。
【請求項６】
前記判定手段が、前記辞書データベースに前記データレベルが設定されていない前記登録データであるレベル未設定データが含まれる場合に、前記レベル未設定データの前記データレベルを、所定の仮設定条件に基づいて仮設定することを特徴とする請求項３〜５の何れか１項に記載の電子辞書装置。
【請求項７】
前記ユーザ語彙レベル取得手段が、前記利用者別に、前記利用者の前記ユーザ語彙レベルを登録可能に構成されていることを特徴とする請求項１〜６の何れか１項に記載の電子辞書装置。
【請求項８】
前記辞書データベースを複数種類備える場合に、複数の前記辞書データベースから利用する前記辞書データベースを選択する辞書選択手段を備え、
前記ユーザ語彙レベル取得手段が、前記辞書データベース毎に、前記利用者の前記ユーザ語彙レベルを登録可能に構成されていることを特徴とする請求項１〜７の何れか１項に記載の電子辞書装置。
【請求項９】
前記ユーザ語彙レベル取得手段が、所定の再設定条件に基づいて、前記ユーザ語彙レベルを再登録することを特徴とする請求項７または８に記載の電子辞書装置。
【請求項１０】
前記ユーザ語彙レベル取得手段が、前記利用者毎に、利用者の年齢、学年、所定試験の合格履歴、前記判定手段において検索された前記登録データの検索履歴情報、及び、外部入力されたレベル情報の少なくとも何れか１つを含む利用者情報を受け付け可能に構成され、前記利用者情報に基づいて前記ユーザ語彙レベルを設定することを特徴とする請求項１〜９の何れか１項に記載の電子辞書装置。
【請求項１１】
前記ユーザ語彙レベル取得手段が、所定の判定用登録データについて既知であるか否かを前記利用者に入力させるための第２出力データを出力し、前記利用者から前記判定用登録データが既知であるか否かを示すユーザ語彙レベル判定情報が入力された場合に、前記ユーザ語彙レベル判定情報に基づいて、前記利用者の前記ユーザ語彙レベルを設定することを特徴とする請求項１〜９の何れか１項に記載の電子辞書装置。
【請求項１２】
前記第１出力データによって前記利用者に提示された前記データ情報に含まれる１または複数の文字からなるデータを前記処理対象データとして取得する処理対象取得手段を備えることを特徴とする請求項１〜１１の何れか１項に記載の電子辞書装置。
【請求項１３】
１または複数の文字からなる複数の登録データと、前記登録データ毎に対応付けられたデータレベル及び利用者に提示するデータ情報が格納された辞書データベースを備えた電子辞書装置が実行するための辞書検索プログラムであって、
利用者のユーザ語彙レベルを取得するユーザ語彙レベル取得ステップと、
前記辞書データベースを検索して、１または複数の文字からなる処理対象データに対応する前記登録データを抽出する検索ステップと、
前記検索ステップにおいて前記処理対象データに対応する前記登録データが抽出された場合に、抽出された前記登録データの前記データレベルと前記ユーザ語彙レベルを比較し、所定の判定基準に基づいて、前記データ情報の出力・非出力を判定する判定ステップと、
前記判定ステップにおいて出力判定された場合に、前記登録データの前記データ情報を所定の出力装置に出力するデータ情報出力ステップと、を有することを特徴とする辞書検索プログラム。
【発明の詳細な説明】
【技術分野】
【０００１】
本発明は、入力された文字や単語等の意味や用例等を示す電子辞書装置に関する。
【背景技術】
【０００２】
近年、例えば、漢字の意味や読み方等を格納した漢字辞典や、英単語の意味や読み方等を格納した英和辞典等をコンピュータ上で利用するための辞書データベースを備えた電子辞書装置が実用化されている。特に、電池内蔵型の携帯用電子辞書装置は、使用場所を選ばない利点から、近年、急速に普及が進んでいる。
【０００３】
電子辞書装置は、一般的に、１または複数の文字からなる複数の登録データと当該登録データ毎に対応付けられた意味や用例等のデータ情報が格納された辞書データベース、キーボードやタブレット等の入力装置、液晶やＬＣＤパネル等の表示装置を備えて構成されている。このような電子辞書装置は、入力装置に入力された処理対象データを文字認識し、辞書データベースを検索して認識された処理対象データに対応する登録データを抽出し、当該登録データに対応付けて格納されたデータ情報を表示装置に表示する。
【０００４】
電子辞書装置には、例えば、複数の語句からなる文章を撮像可能な撮像装置と、ＯＣＲ（Ｏｐｔｉｃａｌ  Ｃｈａｒａｃｔｅｒ  Ｒｅａｄｅｒ）機能とを備え、撮像装置によって撮像された撮像画像から、ＯＣＲ機能を利用して処理対象データを抽出し、当該処理対象データのデータ情報を表示する電子辞書装置がある（例えば、特許文献１参照）。
【０００５】
特許文献１に記載の電子辞書装置では、意味等を検索したい語句を入力する際、撮像装置で撮像すれば良く、キーボードや手書き入力等により入力する必要がないので、入力にかかる手間を低減できる。例えば、紙面や看板等に記載された外国語を翻訳したい場合、キーボードや手書き入力では、逐次、単語を入力しなければならず、非常に手間がかかる。これに対し、特許文献１に記載の電子辞書装置では、１度の撮像により、全ての単語を入力できるので、入力にかかる手間を大幅に低減できる。
【０００６】
また、電子辞書装置としては、例えば、辞書データベース、検索機能、及び、ＯＣＲ機能が構築された電子辞書サーバがある（例えば、特許文献２参照）。
【０００７】
特許文献２に記載の電子辞書サーバは、電子辞書サーバと通信ネットワークを介して通信可能な利用者端末から文章が撮像された撮像画像を受け付け、受け付けた撮像画像から、ＯＣＲ機能を利用して処理対象データを抽出し、当該処理対象データのデータ情報を利用者端末に出力する。
【０００８】
特許文献１に記載の電子辞書装置や、特許文献２に記載の電子辞書装置では、文章を撮像した撮像画像により複数の処理対象データを同時に入力できるので、複数の語句について検索したい場合に、入力にかかる手間を低減することができる。
【０００９】
【特許文献１】特開２０００−２０６７７号公報
【特許文献２】特開２００４−１１８２８１号公報
【発明の開示】
【発明が解決しようとする課題】
【００１０】
しかしながら、上記特許文献１及び特許文献２に記載の電子辞書装置では、撮像画像に複数の処理対象データが含まれる場合、利用者にとって意味や用例等を表示する必要があるか否かに拘わらず全ての処理対象データについて意味や用例等のデータ情報が表示されることとなる。この場合には、表示装置の限られた表示画面上に、非常に多くのデータ情報を表示することとなり、本来利用者が必要としているデータ情報が、他のデータ情報によって見辛くなり視認性が悪化する可能性があるという問題があった。
【００１１】
更に、特に、内蔵電池で動作する携帯型の電子辞書装置では、消費電力の低減が課題となっており、全ての処理対象データについてデータ情報を表示する、即ち、データ情報を表示する必要のない処理データについてもデータ情報の表示を行うことは、消費電力の観点から問題となっている。
【００１２】
尚、上記特許文献１及び特許文献２に記載の電子辞書装置のように、撮像画像を取得して、撮像画像に含まれる複数の処理対象データについてデータ情報を表示する電子辞書装置では、例えば、撮像画像中、利用者がデータ情報の表示を望む処理対象データを指定することにより、データ情報の表示が必要な処理対象データについてのみデータ情報の表示を行うことが可能になり、視認性の悪化や消費電力の増加を低減することが可能になる。
【００１３】
しかし、このように、撮像画像上で処理対象データを指定する場合、利用者の入力にかかる手間が結果的に増大し、撮像画像により入力を行うことで利用者の手間を軽減するという利点を損なうことになる。
【００１４】
本発明は上記の問題に鑑みてなされたものであり、その目的は、複数の処理対象データを同時に入力可能な場合に、利用者の入力にかかる手間の増大をおさえ、視認性の悪化を防止し、消費電力の低減を図ることができる電子辞書装置を提供する点にある。
【課題を解決するための手段】
【００１５】
上記目的を達成するための本発明に係る電子辞書装置は、利用者のユーザ語彙レベルを取得するユーザ語彙レベル取得手段と、１または複数の文字からなる複数の登録データと、前記登録データ毎に対応付けられたデータレベル及び利用者に提示するデータ情報が格納された辞書データベースと、前記辞書データベースを検索して、１または複数の文字からなる処理対象データに対応する前記登録データを抽出し、前記処理対象データに対応する前記登録データが抽出された場合に、抽出された前記登録データの前記データレベルと前記ユーザ語彙レベルを比較し、所定の判定基準に基づいて、前記データ情報の出力・非出力を判定する判定手段と、前記判定手段により出力判定された場合に、前記登録データの前記データ情報を所定の出力装置に出力するための第１出力データを出力するデータ情報出力手段と、を備えることを第１の特徴とする。
【００１６】
上記特徴の本発明に係る電子辞書装置は、複数の前記処理対象データを含む文章データを取得し、前記文章データから複数の前記処理対象データを抽出するデータ入力手段を備えることを第２の特徴とする。
【００１７】
上記何れかの特徴の本発明に係る電子辞書装置は、前記登録データの前記データレベルを再設定するデータレベル再設定手段を備えることを第３の特徴とする。
【００１８】
上記特徴の本発明に係る電子辞書装置は、前記データレベル再設定手段が、前記データ情報出力手段により前記データ情報が出力された前記登録データについて、前記判定手段が非出力判定するように、前記データレベルを再設定することを第４の特徴とする。
【００１９】
上記第３または第４の特徴の本発明に係る電子辞書装置は、前記データレベル再設定手段が、前記判定手段により前記データ情報の非出力判定された前記登録データについて、表示指示を受け付けた場合に、前記判定手段が出力判定するように、前記データレベルを再設定することを第５の特徴とする。
【００２０】
上記第３〜第５の特徴の本発明に係る電子辞書装置は、前記判定手段が、前記辞書データベースに前記データレベルが設定されていない前記登録データであるレベル未設定データが含まれる場合に、前記レベル未設定データの前記データレベルを、所定の仮設定条件に基づいて仮設定することを第６の特徴とする。
【００２１】
上記何れかの特徴の本発明に係る電子辞書装置は、前記ユーザ語彙レベル取得手段が、前記利用者別に、前記利用者の前記ユーザ語彙レベルを登録可能に構成されていることを第７の特徴とする。
【００２２】
上記何れかの特徴の本発明に係る電子辞書装置は、前記辞書データベースを複数種類備える場合に、複数の前記辞書データベースから利用する前記辞書データベースを選択する辞書選択手段を備え、前記ユーザ語彙レベル取得手段が、前記辞書データベース毎に、前記利用者の前記ユーザ語彙レベルを登録可能に構成されていることを第８の特徴とする。
【００２３】
上記第７または第８の特徴の本発明に係る電子辞書装置は、前記ユーザ語彙レベル取得手段が、所定の再設定条件に基づいて、前記ユーザ語彙レベルを再登録することを第９の特徴とする。
【００２４】
上記何れかの特徴の本発明に係る電子辞書装置は、前記ユーザ語彙レベル取得手段が、前記利用者毎に、利用者の年齢、学年、所定試験の合格履歴、前記判定手段において検索された前記登録データの検索履歴情報、及び、外部入力されたレベル情報の少なくとも何れか１つを含む利用者情報を受け付け可能に構成され、前記利用者情報に基づいて前記ユーザ語彙レベルを設定することを第１０の特徴とする。
【００２５】
上記第１〜第９の特徴の本発明に係る電子辞書装置は、前記ユーザ語彙レベル取得手段が、所定の判定用登録データについて既知であるか否かを前記利用者に入力させるための第２出力データを出力し、前記利用者から前記判定用登録データが既知であるか否かを示すユーザ語彙レベル判定情報が入力された場合に、前記ユーザ語彙レベル判定情報に基づいて、前記利用者の前記ユーザ語彙レベルを設定することを第１１の特徴とする。
【００２６】
上記何れかの特徴の本発明に係る電子辞書装置は、前記第１出力データによって前記利用者に提示された前記データ情報に含まれる１または複数の文字からなるデータを前記処理対象データとして取得する処理対象取得手段を備えることを第１２の特徴とする。
【００２７】
上記目的を達成するための本発明に係る辞書検索プログラムは、１または複数の文字からなる複数の登録データと、前記登録データ毎に対応付けられたデータレベル及び利用者に提示するデータ情報が格納された辞書データベースを備えた電子辞書装置が実行するための辞書検索プログラムであって、利用者のユーザ語彙レベルを取得するユーザ語彙レベル取得ステップと、前記辞書データベースを検索して、１または複数の文字からなる処理対象データに対応する前記登録データを抽出する検索ステップと、前記検索ステップにおいて前記処理対象データに対応する前記登録データが抽出された場合に、抽出された前記登録データの前記データレベルと前記ユーザ語彙レベルを比較し、所定の判定基準に基づいて、前記データ情報の出力・非出力を判定する判定ステップと、前記判定ステップにおいて出力判定された場合に、前記登録データの前記データ情報を所定の出力装置に出力するデータ情報出力ステップと、を有することを特徴とする。
【発明の効果】
【００２８】
上記特徴の電子辞書装置によれば、複数の登録データと登録データ毎に対応付けられたデータレベルが格納された辞書データベースを用い、利用者のユーザ語彙レベルとデータレベルを比較して、データ情報の出力・非出力を判定するように構成したので、利用者にとって意味や用例等の提示が必要のない可能性の高い処理対象データについては、自動的に、データ情報の出力を行わないようにすることが可能になる。
【００２９】
これにより、上記特徴の電子辞書装置によれば、複数の処理対象データを同時に入力した場合でも、利用者の入力にかかる手間を増大させることなく、利用者にとってデータ情報の提示が必要である可能性の高いデータ情報を選択的に提示でき、視認性の悪化を防止し、消費電力の低減を図ることが可能になる。
【００３０】
また、上記特徴の電子辞書装置によれば、利用者にとってデータ情報の提示が必要である可能性の高いデータ情報を自動的に選択して出力するので、上述した上記特許文献１及び特許文献２に記載の電子辞書装置のように、撮像画像上の処理対象データを指定する必要がないことから、利用者の入力にかかる手間を増大させることがない。
【００３１】
特に、新聞や書籍の様に非常に多くの単語が記載された媒体を撮像した撮像画像を利用するような場合には、電子辞書装置に非常に多くの処理対象データが入力されることとなる。従来の電子辞書装置のように、処理対象データを指定する構成の場合には、当該処理対象データの指定にかかる手間、即ち、利用者が大量の処理対象データからデータ情報が必要な処理対象データを見つけて範囲指定する手間が相当増大することが考えられる。これに対し、上記特徴の電子辞書装置では、自動的に処理対象データの夫々についてデータ情報の出力・非出力を判定するので、新聞や書籍の様な非常に多くの処理対象データが含まれる場合であっても、利用者の入力にかかる手間を増大させることがない。
【００３２】
上記第２の特徴の電子辞書装置によれば、複数の処理対象データを含む文章データを取得し、当該文章データから複数の処理対象データを抽出するデータ入力手段を備えるように構成したので、例えば、撮像画像や、音声データ、放送データ等から文章データを取得し、取得した文書データの処理対象データの夫々について、自動的にデータ情報の出力・非出力を判定して、適切なデータ情報の出力を行うことが可能になる。
【００３３】
上記第３〜第５の特徴の電子辞書装置によれば、登録データのデータレベルを再設定するように構成したので、利用者の利便性を向上させることができる。上記第４の特徴の電子辞書装置の如く、データ情報が出力された登録データについては判定手段が非出力判定するように、ユーザ語彙レベルを再設定するように構成すれば、利用者にデータ情報が提示され、利用者にとってデータ情報の提示が必要なくなった可能性の高い処理対象データについて、データ情報の出力を行わないようにすることができる。また、上記第５の特徴の電子辞書装置の如く、利用者の表示指示により、非出力判定された登録データについて判定手段が出力判定するようにデータレベルを再設定するように構成すれば、非出力と判定されるデータ情報であっても、利用者が提示を必要とするデータ情報について、データ情報を出力することが可能になる。
【００３４】
上記第６の特徴の電子辞書装置によれば、判定手段が、データレベルが設定されていないレベル未設定データのデータレベルを仮設定するように構成したので、例えば、辞書にデータレベルが設定されていない登録データを追加した場合等に、柔軟に対応できる。
【００３５】
上記第７の特徴の電子辞書装置によれば、ユーザ語彙レベル取得手段が、利用者別にユーザ語彙レベルを登録可能に構成されているので、利用者の利便性を向上させることが可能になる。
【００３６】
上記第８の特徴の電子辞書装置によれば、辞書データベースを複数備える場合に、辞書データベース毎にユーザ語彙レベルを登録可能に構成したので、利用者の利便性を向上させることが可能になる。
【００３７】
上記第９の特徴の電子辞書装置によれば、ユーザ語彙レベルを再設定可能に構成したので、利用者の知識量の変化等に応じて柔軟に、データ情報の出力・非出力を判定することが可能になる。
【００３８】
上記第１０の特徴の電子辞書装置によれば、利用者の年齢や学年、所定試験の合格履歴等のレベル情報に応じてユーザ語彙レベルを再設定するように構成したので、利用者によるユーザ語彙レベルの登録が容易に且つ適切に行えるようになる。
【００３９】
上記第１１の特徴の電子辞書装置によれば、利用者にとって判定用登録データが既知であるか否かを示すユーザ語彙レベル判定情報に基づいてユーザ語彙レベルを設定するように構成したので、利用者によるユーザ語彙レベルの登録が容易に且つ適切に行えるようになる。
【００４０】
上記第１２の特徴の電子辞書装置によれば、利用者に提示したデータ情報に含まれる１または複数の文字からなるデータを処理対象データとして取得する処理対象取得手段を備えるように構成したので、データ情報に含まれる処理対象データのデータ情報の提示が可能になる。即ち、上記第１２の特徴の電子辞書装置によれば、例えば、利用者が、意味や用例等のデータ情報を得た後、当該データ情報に意味が分からない語句が含まれていた場合に、利用者が改めて当該語句を電子辞書装置に入力しなくても、当該語句についての意味や用例等を得ることが可能になり、利用者の利便性を向上させることができる。
【発明を実施するための最良の形態】
【００４１】
以下、本発明に係る電子辞書装置及び辞書検索プログラム（以下、適宜「本発明装置」、「本発明プログラム」と略称する）の実施形態を図面に基づいて説明する。
【００４２】
〈第１実施形態〉
本発明装置、及び、本発明装置が実行するための本発明プログラムの第１実施形態について、図１〜図８を基に説明する。尚、本実施形態では、本発明装置及び本発明プログラムが電子辞書に搭載されている場合を想定して説明する。
【００４３】
先ず、本発明装置を搭載した電子辞書ＩＣＤ１の装置構成について、図１〜図３を基に説明する。ここで、図１は、電子辞書ＩＣＤ１の外観を示しており、図２は、電子辞書ＩＣＤ１の装置構成例を示している。
【００４４】
図１及び図２に示すように、電子辞書ＩＣＤ１は、辞書データベースＤ１〜Ｄｎ及び本発明プログラムＤＰが格納されたＲＯＭ１６（Ｒｅａｄ  Ｏｎｌｙ  Ｍｅｍｏｒｙ）、ユーザ語彙レベル等を記憶するための不揮発性メモリ１７、一時的にデータを記憶するＲＡＭ１８（Ｒａｎｄｏｍ  Ａｃｃｅｓｓ  Ｍｅｍｏｒｙ）、ＲＯＭ１６に格納された本発明プログラムＤＰを読み出して実行するＣＰＵ１１（Ｃｅｎｔｒａｌ  Ｐｒｏｃｅｓｓｉｎｇ  Ｕｎｉｔ）、文章を含む画像を撮像可能な撮像装置１２、キーボード１３、タッチペンによる手書き入力機能を備えたタッチパネル１４、及び、表示装置１５を備えて構成されている。ＲＯＭ１６及びＲＡＭ１８、ＣＰＵ１１は本発明装置１内部に内蔵されている。また、本発明装置１が閉じ状態にあるときの内側面の内の一面に表示装置１５が、他面にキーボード１３とタッチパネル１４が設けられ、表示装置１５の背面に撮像装置１２が設けられている。尚、図１では、２つ折り型の電子辞書ＩＣＤ１装置を示しているが、これに限るものではない。
【００４５】
撮像装置１２は、本実施形態では、ＣＣＤイメージセンサ（Ｃｈａｒｇｅ  Ｃｏｕｐｌｅｄ  Ｄｅｖｉｃｅ  Ｉｍａｇｅ  Ｓｅｎｓｏｒ）である。本実施形態では、撮像画像を表示装置１５上に表示し、利用者の操作により必要な撮像画像を取り込むように構成されている。尚、本実施形態では、撮像装置１２が、ＣＣＤイメージセンサである場合を想定して説明するが、これに限るものではなく、ＣＭＯＳセンサ等の他の固体撮像素子等であっても良い。
【００４６】
表示装置１５は、本実施形態では、液晶パネルで構成されており、撮像装置１２からの撮像画像や撮像前画像、検索結果等を表示可能に構成されている。
【００４７】
ＲＯＭ１６は、本実施形態では、複数種類の辞書データベースＤ１〜Ｄｎを格納している。本実施形態の辞書データベースＤ１〜Ｄｎは、例えば、漢和辞典、英和辞典、独和辞典、韓和辞典、中和辞典、国語辞典等の辞典をコンピュータ上で利用可能にするためのデータで構成され、１つの辞書データベースＤｉ（ｉ＝１〜ｎ）で１つの辞書を構成している。
【００４８】
ＲＯＭ１６に格納された辞書データベースＤ１〜Ｄｎには、夫々、１または複数の文字からなる複数の登録データと、登録データ毎に対応付けられたデータレベル及び利用者に提示するデータ情報が格納されている。
【００４９】
ここで、図３は、漢字辞典の辞書データベースＤにおける各漢字（登録データ）とデータレベルの対応関係の一例を示している。本実施形態では、データレベルは数値設定され、より使用頻度の低い登録データほど、高い値が割り当てられている。図３に示す漢字辞典の辞書データベースＤの場合、小学校で学習する漢字にはデータレベル「２」が、常用漢字にはデータレベル「３」が割り当てられている。
【００５０】
また、本実施形態では、データ情報として、例えば、登録データの意味、用例、読み方（発音表記）、音声等のデータが格納されている。尚、辞書データベースＤ１〜Ｄｎに格納されるデータ情報の構成は、辞書データベースＤ１〜Ｄｎ毎に異なっていても良い。
【００５１】
次に、本発明装置の構成について、図４を基に説明する。ここで、図４は、本発明装置１の概略構成例を示している。尚、本発明装置は、電子辞書ＩＣＤ１のＣＰＵ１１がＲＯＭ１２に格納された本発明プログラムＤＰを実行することにより実現される。
【００５２】
本発明装置１は、図４に示すように、１または複数の文字からなる処理対象データを複数含む文章データを取得し、文章データから複数の処理対象データを抽出するデータ入力手段ＤＰ１、利用者のユーザ語彙レベルを取得するユーザ語彙レベル取得手段ＤＰ２、辞書データベースＤ１〜Ｄｎを検索して処理対象データに対応する登録データを抽出し、処理対象データに対応する登録データが抽出された場合に、抽出された登録データのデータレベルとユーザ語彙レベルを比較し、所定の判定基準に基づいて、データ情報の出力・非出力を判定する判定手段ＤＰ３、判定手段ＤＰ３により出力判定された場合に、登録データのデータ情報を所定の出力装置に出力するための第１出力データを出力するデータ情報出力手段ＤＰ４、登録データのデータレベルを再設定するデータレベル再設定手段ＤＰ５、及び、複数の辞書データベースＤ１〜Ｄｎから利用する辞書データベースＤｉ（ｉ＝１〜ｎ）を選択する辞書選択手段ＤＰ６を備えて構成されている。
【００５３】
データ入力手段ＤＰ１は、本実施形態では、ＯＣＲ機能を備えており、撮像装置１２から文章を含む画像を撮像した撮像画像を受け付けた場合に、ＯＣＲ機能を利用して撮像画像から文章データを抽出する。更に、データ入力手段ＤＰ１は、抽出した文章データから複数の処理対象データを抽出し、抽出された処理対象データをＲＡＭ１８の所定の記憶領域に順次格納するように構成されている。
【００５４】
更に、データ入力手段ＤＰ１は、本実施形態では、キーボード１３及びタッチパネル１４から、文章データまたは処理対象データを受け付け可能に構成されている。より具体的には、本実施形態のデータ入力手段ＤＰ１は、キーボード１３からの英単語等の単語入力に対応しており、キーボード１３から入力された単語を処理対象データとして取得する。また、データ入力手段ＤＰ１は、本実施形態では、タッチパネル１４による手書き入力に対応しており、タッチパネル１４に入力された漢字等の文字を認識し、処理対象データとして取得する。
【００５５】
ユーザ語彙レベル取得手段ＤＰ２は、本実施形態では、利用者別に、利用者のユーザ語彙レベルを登録可能に構成されている。また、本実施形態のユーザ語彙レベル取得手段ＤＰ２は、複数の辞書データベースＤ１〜Ｄｎを備えていることから、辞書データベースＤ１〜Ｄｎ毎に、利用者のユーザ語彙レベルを登録可能に構成されている。
【００５６】
より詳細には、本実施形態のユーザ語彙レベル取得手段ＤＰ２は、少なくとも本発明装置１に新たな利用者が登録された場合に、利用者のユーザ語彙レベルを設定する。ユーザ語彙レベル取得手段ＤＰ２は、利用者毎に、利用者の年齢、学年、所定試験の合格履歴、判定手段ＤＰ３において検索された登録データの検索履歴情報、及び、外部入力されたレベル情報の少なくとも何れか１つを含む利用者情報を受け付け可能に構成され、利用者情報に基づいてユーザ語彙レベルを設定する。
【００５７】
本実施形態では、ユーザ語彙レベルは、数値で設定され、設定された値が高いほど、より使用頻度の低い登録データまで知っていることを示している。例えば、利用者情報として利用者の学年が入力された場合、小学生であれば、ユーザ語彙レベルを２に設定し、中学生であれば、ユーザ語彙レベルを３に設定する。尚、ユーザ語彙レベルは、更に細かく学年毎に設定されていても良い。
【００５８】
また、利用者情報が複数入力された場合には、夫々の利用者情報に対応するユーザ語彙レベルの内、最も高いレベルをユーザ語彙レベルとして設定するように構成しても良いし、優先度の高い利用者情報のレベルをユーザ語彙レベルとして設定するように構成しても良い。
【００５９】
本実施形態のユーザ語彙レベル取得手段ＤＰ２は、所定の再設定条件に基づいて、ユーザ語彙レベルを再登録するように構成されている。ここでは、利用者のレベルに変動があることが予想されることから、例えば、一定期間毎、電子辞書ＩＣＤの一定利用回数毎、所定のイベントの発生時に、ユーザ語彙レベルの再登録を行う。イベント発生時としては、例えば、学年が変わる４月や、資格試験の実施時期等を想定しても良い。
【００６０】
データレベル再設定手段ＤＰ５は、本実施形態では、データレベルの再設定を行う場合、図６に示すように、不揮発性メモリ１７の記憶領域に、データレベルの再設定を行う登録データと再設定されたデータレベルを記憶する。ここで、辞書データベースＤを複数種類備える場合は、辞書データベースＤ１〜Ｄｎ別にデータレベルの再設定を行う登録データと再設定されたデータレベルを記憶する。尚、本実施形態では、不揮発性メモリ１７にデータレベルの再設定を行う登録データと再設定されたデータレベルを記憶するように構成したが、辞書データベースＤ１〜Ｄｎを直接書き換えるように構成しても良い。
【００６１】
データレベル再設定手段ＤＰ５は、本実施形態では、データ情報出力手段ＤＰ４によりデータ情報が出力された登録データについて、判定手段ＤＰ３が非出力判定するように、データレベルを再設定するように構成されている。
【００６２】
また、本実施形態のデータレベル再設定手段ＤＰ５は、判定手段ＤＰ３によりデータ情報の非出力判定された登録データについて、表示指示を受け付けた場合に、判定手段ＤＰ３が出力判定するように、データレベルを再設定するように構成されている。
【００６３】
以下、本発明装置１の処理手順について、図５を基に説明する。ここで、図５は、本発明装置１の処理手順例を示している。
【００６４】
本発明装置１は、先ず、データ入力手段ＤＰ１が、撮像画像等から文章データを取得し（ステップ＃１１０）、文章データから処理対象データを抽出し、順次、ＲＡＭ１８の所定の記憶領域に格納する。そして、ＲＡＭ１８に格納された処理対象データから後述するステップ＃１２０〜＃１６０の処理を行う処理対象データを選択する。
【００６５】
続いて、辞書選択手段ＤＰ６が、選択された処理対象データについて、利用する辞書データベースＤ１〜Ｄｎを選択する（ステップ＃１２０）。ここでは、例えば、処理対象データが漢字である場合には、漢字辞典の辞書データベースＤを選択する。また、例えば、処理対象データが英単語である場合には、英語辞典の辞書データベースＤを選択する。
【００６６】
続いて、ユーザ語彙レベル取得手段ＤＰ２が、利用者のユーザ語彙レベルを取得する（ステップ＃１３０、ユーザ語彙レベル取得ステップ）。ここでは、利用者毎、辞書データベースＤ１〜Ｄｎ毎にユーザ語彙レベルが登録されていることから、ステップ＃１２０で辞書選択手段ＤＰ６により選択された辞書データベースＤのユーザ語彙レベルを取得する。
【００６７】
引き続き、判定手段ＤＰ３は、処理対象データに対応する登録データの抽出を行う（ステップ＃１４０、検索ステップ）。具体的には、判定手段ＤＰ３は、ステップ＃１２０で辞書選択手段ＤＰ６により選択された辞書データベースＤを検索し、処理対象データと一致する登録データを抽出する（ステップ＃１４１）。尚、処理対象データと完全に一致する登録データが検索されなかった場合に、類似性の高い単語の１または複数を候補として表示するあいまい検索機能を設け、本発明装置１の利用者が選択するように構成しても良い。例えば、キーボード１３から英単語等が入力され、英単語辞書の辞書データベースＤが選択されている場合に、スペルが完全に一致する単語が英単語辞書の辞書データベースＤに登録されていない場合に、入力された英単語を含む英単語や、入力された英単語の内の１文字または数文字のみ異なる英単語を類似性の高い単語として表示し、本発明装置１の利用者が選択するように構成しても良い。
【００６８】
判定手段ＤＰ３は、ステップ＃１４１の検索ステップにおいて、処理対象データに対応する登録データが抽出されなかった場合（ステップ＃１４２でＮＯ分岐）、本実施形態では、表示装置１５に処理対象データに対応する登録データが無い旨を表示するための表示データを出力する（ステップ＃１４３）。
【００６９】
判定手段ＤＰ３は、ステップ＃１４１の検索ステップにおいて、処理対象データに対応する登録データが抽出された場合（ステップ＃１４２でＹＥＳ分岐）、抽出された登録データのデータレベルとユーザ語彙レベルを比較し、所定の判定基準に基づいて、データ情報の出力・非出力を判定する（ステップ＃１５０、判定ステップ）。
【００７０】
尚、本実施形態では、判定手段ＤＰ３は、不揮発性メモリ１７に抽出された登録データが記憶されている場合、ＲＯＭ１６に格納されたデータレベルではなく、不揮発性メモリ１７に記憶されたデータレベルを利用する。また、本実施形態では、辞書データベースＤ１〜Ｄｎにデータレベルが設定されていない登録データであるレベル未設定データが含まれ、レベル未設定データが抽出された場合、判定手段ＤＰ３は、抽出されたレベル未設定データのデータレベルを、所定の仮設定条件に基づいて仮設定する。本実施形態では、レベル未設定データのデータレベルは、データ情報が出力されるように、最高レベルに設定する。
【００７１】
本実施形態では、判定手段ＤＰ３は、登録データのデータレベルがユーザ語彙レベル以上である場合に出力判定し（ステップ＃１５２でＹＥＳ分岐）、登録データのデータレベルがユーザ語彙レベルより小さい場合に非出力判定する（ステップ＃１５２でＮＯ分岐）。より具体的には、例えば、ユーザ語彙レベルが「４」の場合を想定すると、処理対象データとして、「鮭」が入力された場合、図３に示す漢字辞典の辞書データベースＤを検索して「鮭」のデータレベル「４」を取得する。この場合、判定手段ＤＰ３は、「鮭」のデータレベル「４」がユーザ語彙レベル「４」以上となるので、出力判定する。また、例えば、ユーザ語彙レベルが「４」の場合に、処理対象データとして、「魚」が入力された場合、図３に示す漢字辞典の辞書データベースＤを検索して「魚」のデータレベル「２」を取得する。この場合、判定手段ＤＰ３は、「魚」のデータレベル「２」がユーザ語彙レベル「４」より小さいので、非出力判定する。
【００７２】
ステップ＃１５２において出力判定された場合（ステップ＃１５２でＹＥＳ分岐）、データ情報出力手段ＤＰ４は、登録データのデータ情報を所定の出力装置に出力する（ステップ＃１６０、データ情報出力ステップ）。本実施形態では、データ情報出力手段ＤＰ４は、表示装置１５に対し、表示装置１５上にデータ情報を表示するための表示データ（第１出力データに相当）を出力する。
【００７３】
引き続き、未処理の処理対象データがＲＡＭ１８に格納されている場合（ステップ＃１７０でＹＥＳ分岐）、データ入力手段ＤＰ１が、次にステップ＃１２０〜＃１６０の処理を行う処理対象データを選択する。未処理の処理対象データが無い場合は（ステップ＃１７０でＮＯ分岐）処理を終了する。
【００７４】
ここで、図７は、撮像装置１２において複数の英単語からなる文章を撮像した撮像画像が撮像された場合において、表示装置１５に表示される表示画面の一例を示している。図７に示す表示画面では、データ入力手段ＤＰ１が撮像画像から抽出した文章データと、判定手段ＤＰ３により出力判定された処理対象データとしての英単語の上に、データ情報として日本語訳が表示されている。より詳細には、図７では、上段の表示欄１５ａに表示された英単語の内、「Ｇｅｒｍａｎｉｃ」「ｏｒｉｇｉｎａｔｉｎｇ」「ｅｘｔｅｎｓｉｖｅｌｙ」「ｏｆｆｉｃｉａｌ」「ｅｓｐｅｃｉａｌｌｙ」「Ｃｏｍｍｏｎｗｅａｌｔｈ」「ｏｒｇａｎｉｚａｔｉｏｎｓ」「ｆｌｕｅｎｔ」「Ａｎｇｌｏｐｈｏｎｅ」が出力判定され、夫々の日本語訳が表示されている。
【００７５】
尚、図７に示す画面上で、データレベル再設定手段ＤＰ５によるデータレベルの再設定を行えるように、日本語訳が示されていない英単語、即ち、非出力判定された処理対象データを選択可能に構成しても良い。この場合には、データレベル再設定手段ＤＰ５は、非出力判定された処理対象データの内、選択された処理対象データに対応する登録データのデータレベルの値をユーザ語彙レベルの値より大きく設定する。このように構成すれば、利用者の操作により、非出力判定された処理対象データのデータ情報を出力させることが可能になる。
【００７６】
更に、図８は、複数のハングル文字からなる処理対象データを複数含む文章データが入力された場合において、表示装置１５に表示される表示画面の一例を示している。表示画面には、撮像装置１２によって撮像された複数のハングル文字からなる文章データと、判定手段ＤＰ３により出力判定されたハングル文字の上に、データ情報として日本語の意味が表示されている。
【００７７】
尚、本実施形態では、夫々の処理対象データについて、ステップ＃１２０〜ステップ＃１６０を逐次処理したが、これに限るものではない。処理対象データが複数の場合、各ステップは、複数の処理対象データをまとめて実行するように構成しても良い。
【００７８】
〈第２実施形態〉
本発明装置１及び本発明プログラムＤＰの第２実施形態について、図９及び図１０を基に説明する。尚、本実施形態では、上記第１実施形態とは、本発明装置１の構成が異なる場合について説明する。
【００７９】
尚、本実施形態では、上記第１実施形態と同様に、本発明装置及び本発明プログラムが電子辞書に搭載されている場合を想定して説明する。尚、電子辞書ＩＣＤ１の構成は、上記第１実施形態と同じであり、図２に示すように、辞書データベースＤ１〜Ｄｎ及び本発明プログラムＤＰが格納されたＲＯＭ１６、ユーザ語彙レベル等を記憶するための不揮発性メモリ１７、一時的にデータを記憶するＲＡＭ１８、ＲＯＭ１６に格納された本発明プログラムＤＰを読み出して実行するＣＰＵ１１、文章を含む画像を撮像可能な撮像装置１２、キーボード１３、タッチペンによる手書き入力機能を備えたタッチパネル１４、及び、表示装置１５を備えて構成されている。
【００８０】
本実施形態の本発明装置１の構成について、図９を基に説明する。
【００８１】
本実施形態の本発明装置１は、上記第１実施形態と同様に、文章データを取得して複数の処理対象データを抽出するデータ入力手段ＤＰ１、利用者のユーザ語彙レベルを取得するユーザ語彙レベル取得手段ＤＰ２、辞書データベースＤ１〜Ｄｎを検索して処理対象データに対応する登録データを抽出し、処理対象データに対応する登録データが抽出された場合に、抽出された登録データのデータレベルとユーザ語彙レベルを比較し、所定の判定基準に基づいて、データ情報の出力・非出力を判定する判定手段ＤＰ３、判定手段ＤＰ３により出力判定された場合に、登録データのデータ情報を所定の出力装置に出力するための第１出力データを出力するデータ情報出力手段ＤＰ４、登録データのデータレベルを再設定するデータレベル再設定手段ＤＰ５、及び、複数の辞書データベースＤ１〜Ｄｎから利用する辞書データベースＤを選択する辞書選択手段ＤＰ６を備えている。尚、データ入力手段ＤＰ１、ユーザ語彙レベル取得手段ＤＰ２、判定手段ＤＰ３、データ情報出力手段ＤＰ４、データレベル再設定手段ＤＰ５、及び、辞書選択手段ＤＰ６の構成は、上記第１実施形態と同じである。
【００８２】
本実施形態の本発明装置１は、図９に示すように、第１出力データによって利用者に提示されたデータ情報に含まれる１または複数の文字からなるデータを処理対象データとして取得する処理対象取得手段ＤＰ７を備えて構成されている。
【００８３】
以下、処理対象取得手段ＤＰ７について、図１０を基に具体的に説明する。ここで、図１０は、撮像装置１２において複数の英単語からなる文章を撮像した撮像画像が撮像された場合において、本実施形態における表示装置１５に表示される表示画面の一例を示している。本実施形態では、図１０に示すように、上段及び下段の２つの表示欄が設定されている。上段の表示欄１５ａには、図７の場合と同様に、複数の英単語からなる文章データと、判定手段ＤＰ３により出力判定された英単語の上に、データ情報として日本語訳が表示されている。
【００８４】
図１０の場合において、本発明装置１は、データ情報としての日本語訳の何れかをキーボード１３やタッチペン等により選択可能に構成されており、処理対象取得手段ＤＰ７は、データ情報としての日本語訳が選択された場合に、選択された日本語訳を処理対象データとして取得する。本実施形態では、図１０の表示欄１５ａに表示された日本語訳の内、「ゲルマン」が選択されていることから、処理対象取得手段ＤＰ７は、「ゲルマン」を処理対象データとして取得する。
【００８５】
その後、処理対象取得手段ＤＰ７が取得した処理対象データについて、図５に示すステップ＃１２０〜＃１６０を実行する。「ゲルマン」のデータレベルがユーザ語彙レベルより高い場合には、ステップ＃１２０において、辞書選択手段ＤＰ６が国語辞典の辞書データベースＤが選択され、ステップ＃１６０において、データ情報出力手段ＤＰ４により「ゲルマン」の日本語の意味を表示欄１５ｂに表示するための表示データが出力される。これにより、図１０に示すように、表示欄１５ｂに「ゲルマン」の日本語の意味が表示される。
【００８６】
このように構成することにより、従来の電子辞書ＩＣＤ１では、英和辞典を検索した後、当該検索処理を中断または終了させてから、「ゲルマン」を国語辞典で検索する必要があったが、本実施形態の本発明装置１及び本発明プログラムＤＰでは、英和辞典の検索結果の表示及び国語辞典の検索結果の表示を同時にでき、利用者の利便性を高めることができる。
【００８７】
〈別実施形態〉
〈１〉上記第１及び第２実施形態では、本発明装置１が、ＣＰＵ１１によりＲＯＭ１６に格納された本発明プログラムＤＰを実行するように構成したが、本発明装置１は、本発明プログラムＤＰの各ステップを実現するＩＣチップ等の回路により構成されていても良いし、本発明プログラムＤＰの機能の一部のみを回路で実現しても良い。
【００８８】
〈２〉上記第１及び第２実施形態では、本発明装置１が複数種類の辞書データベースＤ１〜Ｄｎを備える場合について説明したが、これに限るものではなく、１種類の辞書データベースＤ１〜Ｄｎのみを備える構成であっても良い。この場合には、本発明プログラムＤＰは、辞書選択手段ＤＰ６を設けない構成にしても良いし、ユーザ語彙レベル取得手段ＤＰ２が辞書データベースＤ１〜Ｄｎ毎にユーザ語彙レベルを登録可能に構成されていなくても良い。
【００８９】
〈３〉上記第１及び第２実施形態では、本発明装置１がデータ入力手段ＤＰ１を備え、データ入力手段ＤＰ１が、撮像装置１２から文章を含む画像を撮像した撮像画像を受け付けて文章データを取得する場合について説明したが、これに限るものではない。
【００９０】
例えば、図１１に示すように、電子辞書ＩＣＤ２が、マイクに入力された音声データや放送データに含まれる音声データ、通信インターフェースから入力された音声データ等を受け付ける音声入力装置１９を備える場合には、データ入力手段ＤＰ１が、音声データを受け付けて当該音声データから文章データを取得するように構成しても良い。
【００９１】
〈４〉上記第１及び第２実施形態では、データ入力手段ＤＰ１が複数の処理対象データを含む文章データを取得した場合に、処理対象データ毎にステップ＃１２０〜ステップ＃１６０の処理を実行するように構成したが、例えば、文章データが１つの言語で構成され、１つの辞書データベースＤ１〜Ｄｎのみ利用する場合には、ステップ＃１２０の辞書の選択及びステップ＃１３０のユーザ語彙レベルの取得を、最初の１回のみ行うように構成しても良い。
【００９２】
〈５〉上記第１及び第２実施形態では、ユーザ語彙レベル取得手段ＤＰ２が、利用者情報を受け付け可能に構成され、利用者情報に基づいてユーザ語彙レベルを設定するように構成したが、これに限るものではない。
【００９３】
例えば、ユーザ語彙レベル取得手段ＤＰ２は、所定の判定用登録データについて既知であるか否かを利用者に入力させるための第２出力データを出力し、利用者から判定用登録データが既知であるか否かを示すユーザ語彙レベル判定情報が入力された場合に、ユーザ語彙レベル判定情報に基づいて、利用者のユーザ語彙レベルを設定するように構成しても良い。
【００９４】
〈６〉上記第１及び第２実施形態では、本発明装置１及び本発明プログラムＤＰを電子辞書ＩＣＤに搭載した場合について説明したが、これに限るものではない。
【００９５】
例えば、図１２に示すように、携帯電話機やＰＣ等の情報端末３と通信ネットワークを介してデータ通信可能なサーバ２に本発明装置１及び本発明プログラムＤＰを搭載しても良い。この場合には、サーバ２は、例えば、情報端末３から送信された電子メールを受け付け、電子メールに添付された文章データとユーザ語彙レベルを取得して本発明装置１に出力する。そして、サーバ２は、本発明装置１から第１出力データを受け付け、電子メールに添付して情報端末３に送信する。
【００９６】
また、例えば、図１３に示すように、テレビジョン受像機４に本発明装置１及び本発明プログラムＤＰを搭載しても良い。より詳細には、図１３に示すテレビジョン受像機４は、デジタル放送を受信可能なテレビジョン受像機であり、番組情報のデータが多重化されたデジタル映像信号及びデジタル音声データを受信可能に構成されている。図１３に示すように、テレビジョン受像機４は、高周波（Ｒａｄｉｏ  Ｆｒｅｑｕｅｎｃｙ）信号をダウンコンバートするＲＦ部４１、ＲＦ部が受信しダウンコンバートした信号をＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）復調してデジタル映像データ及びデジタル音声データを得る復調処理部４２と、復調処理部４２から出力されるデジタル音声データを受け付けて音声出力する音声出力部４４と、復調処理部４２から出力されるデジタル映像データを受け付けて映像表示する映像表示部４５と、本発明装置１を備えて構成されている。
【００９７】
尚、図１３に示すテレビジョン受像機４では、一般的に、番組情報のデータは、情報量が多くなる傾向にあることから、本発明装置１を利用して、テレビジョン受像機４の利用者のユーザ語彙レベルに応じて必要なデータ情報のみ表示するように構成すれば、テレビジョン受像機４の視認性の低下を効果的に防止できる。
【００９８】
更に、例えば、図１４に示すように、複写機５に本発明装置１及び本発明プログラムＤＰを搭載しても良い。図１４に示す複写機５は、複写対象をスキャンする画像取得部５１と、画像取得部５１が取得した画像を複写用紙に複写する複写機能部５２と、用紙を排出する用紙排出部５３と、印刷設定の表示及び印刷設定の入力を行う表示入力部５５と、複写機５の各機能を制御するＣＰＵ５０と、複写機５を稼働するためのプログラムが格納されたＲＯＭ５６と、不揮発性メモリ５７と、ＲＡＭ５８を備えている。ＲＯＭ５６には、本発明プログラムＤＰ及び辞書データベースＤ１〜Ｄｎが格納されている。
【００９９】
図１４に示す複写機５では、本発明装置１は、複写機５のＲＯＭに格納された本発明プログラムＤＰをＣＰＵ５０が実行することにより、実現される。尚、図１４に示す複写機５では、本発明装置１に係る機能として、印刷部５４を設け、印刷部５４により、本発明装置１から出力された第１出力データに基づいて、複写機５の画像取得部５１が取得した文章データに含まれる処理対象データの内、出力判定された処理対象データのデータ情報を印字するように構成されている。
【０１００】
また、例えば、図１５に示すように、カメラ機能６２を備えた携帯電話機６に本発明装置１及び本発明プログラムＤＰを搭載しても良い。尚、図１５に示す携帯電話機６では、一般的に、携帯電話機の表示画面は小さく、データ情報の表示スペースが限られている。従って、本発明装置１を利用して、携帯電話機６の利用者のユーザ語彙レベルに応じて必要なデータ情報のみ表示するように構成すれば、携帯電話機６の視認性の低下を効果的に防止できる。
【図面の簡単な説明】
【０１０１】
【図１】本発明に係る電子辞書装置を搭載した電子辞書の外観を示す概略斜視図
【図２】本発明に係る電子辞書装置を搭載した電子辞書の装置構成例を示す概略ブロック図
【図３】本発明に係る電子辞書装置の登録データとデータレベルの対応関係の一例を示す表
【図４】本発明に係る電子辞書装置の第１実施形態における概略構成例を示す概略部分ブロック図
【図５】本発明に係る電子辞書装置の処理手順を示すフローチャート
【図６】本発明に係る電子辞書装置の登録データと再設定されたデータレベルの一例を示す表
【図７】本発明に係る電子辞書装置及び辞書検索プログラムの第１実施形態における表示結果例を示す図
【図８】本発明に係る電子辞書装置及び辞書検索プログラムの第１実施形態における表示結果例を示す図
【図９】本発明に係る電子辞書装置の第２実施形態における概略構成例を示す概略部分ブロック図
【図１０】本発明に係る電子辞書装置及び辞書検索プログラムの第２実施形態における表示結果例を示す図
【図１１】本発明に係る電子辞書装置の第１実施形態の変形例における装置構成例を示す概略ブロック図
【図１２】本発明に係る電子辞書装置及び辞書検索プログラムを搭載したサーバの概略構成例を示す概略部分ブロック図
【図１３】本発明に係る電子辞書装置及び辞書検索プログラムを搭載したテレビジョン受像機の概略構成例を示す概略部分ブロック図
【図１４】本発明に係る電子辞書装置及び辞書検索プログラムを搭載した複写機の概略構成例を示す概略部分ブロック図
【図１５】本発明に係る電子辞書装置及び辞書検索プログラムを搭載した携帯電話機の概略構成例を示す概略部分ブロック図
【符号の説明】
【０１０２】
１      本発明に係る電子辞書装置
２      サーバ
３      情報端末
４      テレビジョン受像機
５      複写機
６      携帯電話機
１１    ＣＰＵ
１２    撮像装置
１３    キーボード
１４    タッチパネル
１５    表示装置
１５ａ  表示欄
１５ｂ  表示欄
１６    ＲＯＭ
１７    不揮発性メモリ
１８    ＲＡＭ
１９    音声入力装置
４１    ＲＦ部
４２    復調処理部
４３    映像・音声出力部
４４    音声出力部
４５    映像表示部
５０    ＣＰＵ
５１    画像取得部
５２    複写機能部
５３    用紙排出部
５４    印刷部
５５    表示部
５６    ＲＯＭ
５７    不揮発性メモリ
５８    ＲＡＭ
６１    ＣＰＵ
６２    撮像装置
６３    入力部
６４    表示部
６６    ＲＯＭ
６７    不揮発性メモリ
６８    ＲＡＭ
Ｄ      辞書データベース
ＤＰ    本発明に係る辞書検索プログラム
ＤＰ１  データ入力手段
ＤＰ２  ユーザ語彙レベル取得手段
ＤＰ３  判定手段
ＤＰ４  データ情報出力手段
ＤＰ５  データレベル再設定手段
ＤＰ６  辞書選択手段
ＤＰ７  処理対象取得手段
ＩＣＤ  電子辞書
【図１】
2010072681.tif 000003
【図２】
2010072681.tif 000004
【図３】
2010072681.tif 000005
【図４】
2010072681.tif 000006
【図５】
2010072681.tif 000007
【図６】
2010072681.tif 000008
【図７】
2010072681.tif 000009
【図８】
2010072681.tif 000010
【図９】
2010072681.tif 000011
【図１０】
2010072681.tif 000012
【図１１】
2010072681.tif 000013
【図１２】
2010072681.tif 000014
【図１３】
2010072681.tif 000015
【図１４】
2010072681.tif 000016
【図１５】
2010072681.tif 000017